(57)【要約】【課題】前面扉を開放して行うゴト行為を確実に防止する。【解決手段】前面扉１３が閉じられた状態では第１コネクタ３０と第２コネクタ２０とが接続され、パチンコ機本体１１の電源がオンになっている。前面扉１３を開放すると、第１コネクタ３０と第２コネクタ２０との接続が解除され、パチンコ機本体１１の電源がオフになり、また、ケーブル３１がケーブル巻き取り装置３２によって巻き取られる。これにより、第１コネクタがパチンコ機本体１１の背面側に引き込まれる。【選択図】図８
2011004955.tif 000002
【特許請求の範囲】
【請求項１】
パチンコ機本体の前面を開閉する前面扉を有し、前記パチンコ機本体が外枠に軸着されたパチンコ機において、
前記パチンコ機本体の背面側から延びるケーブルの先端に接続された電源用の第１コネクタと、
前記パチンコ機本体の前面側から背面側に貫通し、前記第１コネクタが前記パチンコ機本体の背面側から挿入されるコネクタ挿入孔と、
前記前面扉の裏面に取り付けられ、前記コネクタ挿入孔に挿入された前記第１コネクタが前記前面扉を閉じた状態のときに接続される第２コネクタと、
前記ケーブルを前記パチンコ機本体の背面側に向けて付勢する付勢部材と、
前記第１コネクタと前記第２コネクタとが接続された状態で前記パチンコ機本体の電源をオンにする電源制御手段とを備え、
前記前面扉の開放に連動して前記第１コネクタと前記第２コネクタとの接続が解除され、前記第１コネクタが前記パチンコ機本体の背面側に引き込まれることを特徴とするパチンコ機。
【請求項２】
前記第１コネクタを前記コネクタ挿入孔に挿入したときに前記パチンコ機本体の背面に当接し、前記第１コネクタの前記パチンコ機本体の前面側への移動を規制する規制部材を設けたことを特徴とする請求項１記載のパチンコ機。
【発明の詳細な説明】
【技術分野】
【０００１】
本発明は、パチンコ店などの遊技場で使用されるパチンコ機に関するものである。
【背景技術】
【０００２】
パチンコ店に設置されるパチンコ機は、その本体部分が外枠と称される木製の枠の枠内に軸着される。パチンコ機の設置の際には、外枠がパチンコ店の島設備に釘を用いて固定される。また、パチンコ機は、パチンコ本体の前面側を覆う前面扉を備えており、前面扉が有するガラス窓を通して遊技盤の盤面を視認できる。遊技者が遊技球を打ち出すと、打ち出された遊技球が遊技盤の盤面上を流下する。盤面上を流下する遊技球が各種の入賞口に入ると、賞球の払い出し、あるいは、当たりか否かの抽選の実行など様々な遊技上の特典が付与される。
【０００３】
しかし、近年、例えば遊技中に前面扉を開放し、その隙間から入賞口に遊技球を入賞させる、あるいは、遊技中に前面扉を開放し、遊技球の流下経路を制限するピアノ線を挿入するなど、遊技中に前面扉を開放することによって不正に利益を得るゴト行為が行われ、遊技の公平性が失われていることが問題となっている。このため、各メーカーは、ゴト行為の対策となる機能を持たせることがパチンコ機を開発する際の課題になっている。このため、殆どのパチンコ機には、前面扉の開閉を検知する押しボタン式のスイッチが取り付けられており、遊技中に前面扉が開放されたか否かをホールコンピューターで監視することにより、上記のようなゴト行為を防止している。しかし、押しボタン式のスイッチを採用すると、前面扉と本体部分の隙間から針金などによってボタンを押下状態にして前面扉が閉じていることを検知させたまま、前面扉が開放されてしまうゴト行為が行われることがあり、ゴト行為対策としては万全と言えなかった。よって、例えば特許文献１では、前面扉を閉じたときにはコネクタが接続され、前面扉を開放したときにはコネクタの接続が解除されるようにし、コネクタの脱着による電圧の低下を監視することにより、前面扉が開放されたか否かを監視することが提案されている。これにより、前面扉が閉じていることを検知させたまま前面扉を開放することが不可能になり、より確実にゴト行為を防止できる。
【先行技術文献】
【特許文献】
【０００４】
【特許文献１】特開２００７−３２５６８３号公報
【発明の概要】
【発明が解決しようとする課題】
【０００５】
しかしながら、特許文献１のパチンコ機は、前面扉を開放してもその開放が検知されるだけであるので、遊技を続行することは可能であり、また、例えば前面扉を瞬間的に開放する、あるいは、前面扉の開閉を繰り返すなどの行為により、前面扉を開放したことが従業員に気付かれないようにすることが可能なので、ゴト行為を確実に防止することが不可能であった。
【０００６】
上記問題点を解決するために、本発明は、前面扉を開放して行うゴト行為を確実に防止できるパチンコ機を提供することを目的とする。
【課題を解決するための手段】
【０００７】
上記目的を達成するために、本発明のパチンコ機は、パチンコ機本体の前面を開閉する前面扉を有し、前記パチンコ機本体が外枠に軸着されたパチンコ機において、前記パチンコ機本体の背面側から延びるケーブルの先端に接続された電源用の第１コネクタと、前記パチンコ機本体の前面側から背面側に貫通し、前記第１コネクタが前記パチンコ機本体の背面側から挿入されるコネクタ挿入孔と、前記前面扉の裏面に取り付けられ、前記コネクタ挿入孔に挿入された前記第１コネクタが前記前面扉を閉じた状態のときに接続される第２コネクタと、前記ケーブルを前記パチンコ機本体の背面側に向けて付勢する付勢部材と、前記第１コネクタと前記第２コネクタとが接続された状態で前記パチンコ機本体の電源をオンにする電源制御手段とを備え、前記前面扉の開放に連動して前記第１コネクタと前記第２コネクタとの接続が解除され、前記第１コネクタが前記パチンコ機本体の背面側に引き込まれるものである。
【０００８】
なお、前記第１コネクタを前記コネクタ挿入孔に挿入したときに前記パチンコ機本体の背面に当接し、前記第１コネクタの前記パチンコ機本体の前面側への移動を規制する規制部材を設けることが好ましい。
【発明の効果】
【０００９】
請求項１記載の発明によれば、前面扉を開放すると遊技を続行することが不可能になり、前面扉を開放して行うゴト行為を確実に防止できる。また、電源を復帰させるためにはパチンコ機本体を回動させて、その背面側から第１コネクタをコネクタ挿入孔に挿入する必要があるため、前面扉を開放して遊技を続行するための行為に手間がかかり、さらに、その行為が周囲から目立つので、前面扉を開放して行うゴト行為を確実に防止できる。
【００１０】
請求項２記載の発明によれば、前面扉を開放したときに、第１コネクタと第２コネクタの接続を確実に解除することが可能になり、前面扉の開放に連動して確実にパチンコ機本体の電源を遮断できる。
【図面の簡単な説明】
【００１１】
【図１】パチンコ機の外観を示す斜視図である。
【図２】前面扉を開放したパチンコ機の外観を示す斜視図である。
【図３】パチンコ機本体を開放したパチンコ機の外観を示す斜視図である。
【図４】遊技盤保持枠の前面上部で向かって右隅部分の拡大図である。
【図５】ケーブル巻き取り装置の断面図である。
【図６】ケーブル巻き取り装置の分解斜視図である。
【図７】第１コネクタと第２コネクタとの接続を解除した状態を示す説明図である。
【図８】第１コネクタと第２コネクタとの接続した状態を示す説明図である。
【図９】第１コネクタと第２コネクタとの接続を解除した直後の状態を示す説明図である。
【発明を実施するための形態】
【００１２】
図１及び図２に示すように、パチンコ機１０は、パチンコ機本体１１と、パチンコ機本体１１が枠内に収納されるとともに、パチンコ機本体１１が開閉自在に軸着された外枠１２とを備えている。外枠１２には、パチンコ機本体１１の前面を覆う前面扉１３が軸着されている。パチンコ機本体１１の前面には遊技盤１４が取り付けられている。遊技盤１４は、前面扉１３の透明窓を介して視認できる。遊技者が打ち出した遊技球は遊技盤１４の盤面上を流下する。遊技盤１４の盤面上を流下する遊技球は各種の入賞口１５に入賞するかあるいはハズレ球として回収される。入賞口１５に遊技球が入賞すると、賞球の払い出しが行われる、あるいは、当たりか否かの抽選が行われて遊技者にとって有利になる。
【００１３】
図２に示すように、前面扉１３は、キーシリンダ１６に開放キー１７を挿入してこれを時計回りに回転させると、施錠が解除されて開放できる。
【００１４】
図３に示すように、パチンコ機本体１１は、キーシリンダ１６に開放キー１７を挿入してこれを反時計回りに回転させると、施錠が開放されて開放できる。
【００１５】
図４に示すように、パチンコ機本体１１は、遊技盤１４を取り付ける遊技盤保持枠１８を備えている。遊技盤保持枠１８には遊技盤１４が前面側から嵌め込まれて固定される。遊技盤保持枠１８の前面上部で向かって右隅には、その前面側から背面側に貫通する矩形状のコネクタ挿入孔１９が形成されている。コネクタ挿入孔１９には、パチンコ機本体１１の背面側から後述する第１コネクタ３０が挿入される。前面扉１３の裏面には、第１コネクタ３０を接続する第２コネクタ２０が取り付けられている。第２コネクタ２０は、前面扉１３が閉じられたときにコネクタ挿入孔１９と対峙する位置に配置されている。なお、第１コネクタ３０は雄コネクタからなり、第２コネクタ２０は雌コネクタからなり、第１コネクタ３０のコネクタピンの第２コネクタ２０のピン挿入孔への挿入によって接続される。
【００１６】
図５及び図６に示すように、第１コネクタ３０のコネクタボディ３０ａの基端部には、規制片（規制部材）３０ｂが形成されている。コネクタボディ３０ａの幅寸法及び高さ寸法はコネクタ挿入孔１９の幅寸法及び高さ寸法よりも小さくなっているため、第１コネクタ３０の先端部をコネクタ挿入孔１９に挿入することができる。しかし、規制片３０ｂはコネクタ挿入孔１９に挿入できない高さになっているため、規制片３０ｂの前面がパチンコ機本体１１の背面に当接し、第１コネクタ３０のパチンコ機本体１１の前面側への移動が規制される。これにより、第１コネクタ３０をコネクタ挿入孔１９に挿入したときに、これがパチンコ機本体１１の前面側へ抜けてしまうことがなくなる。第１コネクタ３０は、長尺のケーブル３１に電気的に接続されている。ケーブル３１は、ケーブル巻き取り装置（付勢部材）３２に取り付けられている。ケーブル巻き取り装置３２は箱形の外装カバー３３を備えている。外装カバー３３内にはケーブル収納ケース３４が固定されている。ケーブル収納ケース３４は円筒形状に形成されており、その一面が開口になっている。
【００１７】
ケーブル収納ケース３４内には巻き取りリール３５が収納されている。巻き取りリール３５は円筒状の軸３５ａの両端に円形の板からなるカバー３５ｂ，３５ｃを接合して形成されている。ケーブル３１は巻き取りリール３５の軸３５ａの外周に巻き付けられている。巻き取りリール３５の軸を貫通する孔３５ｄには、ケーブル収納ケース３４の内面に立設された軸３４ａが挿通されている。巻き取りリール３５は、その軸３５ａの内面が軸３４ａの外面に接しながら軸３４ａの軸周りに回転する。
【００１８】
軸３４ａには、その中心を横切るスリット３４ｂが軸方向に沿って形成されている。スリット３４ｂには、渦巻きバネ３６に形成されているバネ固定板３６ａが挿入されている。渦巻きバネ３６は、弾性を有する長尺のステンレス板からなる。渦巻きバネ３６の先端は巻き取りリール３５の一方のカバー３５ｂに形成された突起３５ｅに固定されている。これにより、巻き取りリール３５は、渦巻きバネ３６の弾性力によってケーブル３１の巻き取り方向へ付勢される。
【００１９】
ケーブル収納ケース３４には中継基板３７が取り付けられ、ケーブル収納ケース３４の開口は中継基板３７によって塞がれている。ケーブル３１の基端は、巻き取りリール３５のカバー３５ｃに形成された孔３５ｆを介して中継基板３７の一面側に接続されている。中継基板３７の他面側にはケーブル３８が接続されており、ケーブル３８の先端には中継コネクタ３９が接続されている。これにより、ケーブル３１が中継基板３７を介して中継コネクタ３９と電気的に接続されている。中継コネクタ３９は外装カバー３３から露呈されている。
【００２０】
図７に示すように、パチンコ機本体１１の背面には電源基板（電源制御手段）４０を収納した基板ケース４１が固定されている。そして、基板ケース４１の背面には外装カバー３３が爪係合によって固定されている。この状態では、第１コネクタ３０は上方を向き、また、中継コネクタ３９は電源基板４０に接続される。電源基板４０からは図示しない電源コードが延びており、その先端のプラグがパチンコ店の電源用ソケットに差し込まれている。そして、電源スイッチをオンにした状態で、第１コネクタ３０と第２コネクタ２０が接続されてこれらが導通していると、電源基板４０はパチンコ機本体１１の電源がオンにする。
【００２１】
次に、上記構成による作用について説明する。
【００２２】
図８に示すように、前面扉１３が閉じられた状態では第１コネクタ３０と第２コネクタ２０とが接続され、パチンコ機本体１１の電源がオンになっている。また、第１コネクタ３０と第２コネクタ２０とが接続された状態では、ケーブル３１がケーブル巻き取り装置３２によってその巻き取り方向に付勢され、ケーブル３１は弛みのない状態になっている。
【００２３】
図９に示すように、前面扉１３を開放すると、第２コネクタ２０がパチンコ機本体１１から離れる方向に移動し、第１コネクタ３０の規制片３０ｂがパチンコ機本体１１の背面に当接して、第１コネクタ３０と第２コネクタ２０との接続が解除される。
【００２４】
図７に示すように、第１コネクタ３０と第２コネクタ２０との接続が解除されると、パチンコ機本体１１の電源がオフになり、また、ケーブル３１がケーブル巻き取り装置３２によって巻き取られる。これにより、第１コネクタがパチンコ機本体１１の背面側に引き込まれる。
【００２５】
これにより、この状態からパチンコ機本体１１の電源をオンにするには、先ず、パチンコ機本体１１を開放する。そして、第１コネクタ３０をケーブル巻き取り装置３２による付勢力に抗して引き延ばし、コネクタ挿入孔１９に挿入する。この状態を維持したまま、前面扉１３を閉じて第１コネクタ３０と第２コネクタ２０とを接続させる。この後にパチンコ機本体１１を閉じて作業が終了する。
【００２６】
上記実施形態では、第１コネクタ３０と第２コネクタ２０とをコネクタピンによる接続にしたが、例えばマグネットによる磁気的な接続によって両コネクタを接続してもよい。
【００２７】
上記実施形態では、ケーブル巻き取り装置３２によって第１コネクタ３０を付勢したが、例えばバネによってケーブル３１を付勢する、あるいは、カールコードを用いて付勢するなど、適宜の部材によって付勢してよい。
【００２８】
上記実施形態では、メダルを使用するスロットマシンに本発明を適用したが、例えば遊技球を遊技媒体として用いるスロットマシンなど他のスロットマシンに本発明を適用してもよい。
【符号の説明】
【００２９】
１０  パチンコ機
１１  パチンコ機本体
１３  前面扉
１９  コネクタ挿入孔
２０  第２コネクタ
３０  第１コネクタ
３０ａ  コネクタボディ
３０ｂ  規制片（規制部材）
３１  ケーブル
３２  ケーブル巻き取り装置（付勢部材）
３３  外装カバー
３４  ケーブル収納ケース
３４ａ  軸
３４ｂ  スリット
３５  巻き取りリール
３５ａ  軸
３５ｂ，３５ｃ  カバー
３５ｄ，３５ｆ  孔
３５ｅ  突起
３６  渦巻きバネ
３６ａ  バネ固定板
３７  中継基板
３８  ケーブル
３９  中継コネクタ
４０  電源基板（電源制御手段）
４１  基板ケース
【図１】
2011004955.tif 000003
【図２】
2011004955.tif 000004
【図３】
2011004955.tif 000005
【図４】
2011004955.tif 000006
【図５】
2011004955.tif 000007
【図６】
2011004955.tif 000008
【図７】
2011004955.tif 000009
【図８】
2011004955.tif 000010
【図９】
2011004955.tif 000011